(57)【特許請求の範囲】
【請求項１】
原稿を読み取る原稿読取部と、
画像形成装置が備えている機能を実行するためのボタン、及び操作を受け付けるための操作画面を操作パネルに表示する処理を行い、前記機能を実行するための前記ボタンの押下、及び前記操作画面からの設定を前記操作パネルから入力する処理を行う操作パネル処理部とを備えた画像形成装置において、
前記操作パネルは、裏紙原稿ボタンを備え、前記原稿をコピーするときの操作画面であるコピー設定画面を表示し、
前記操作パネル処理部は、
裏紙原稿をコピーするときに前記裏紙原稿ボタンが押下されることにより、裏紙原稿であることを設定する裏紙原稿設定部と、
裏写り防止機能の設定または解除を行うボタンを表示する処理を行う裏写り防止機能表示処理部と、を備え、
前記裏紙原稿設定部は、前記裏紙原稿ボタンが押下されているときに、前記コピー設定画面において、前記コピーの対象となる原稿が片面であるか両面であるかの各々の場合について、印刷するときに用紙の片面に印刷するか両面に印刷するかを選択できるように設定される４種類のボタンのうち、前記コピーの対象となる原稿が両面であることを前提として設定される２種類のボタンを選択されないように表示し、
前記裏写り防止機能表示処理部は、前記裏紙原稿ボタンが押下されているときに、前記コピー設定画面において、前記裏写り防止機能の設定または解除を行う前記ボタンを自動的に表示することを特徴とする画像形成装置。
【請求項２】
前記操作パネル処理部は、さらに、前記裏写り防止機能の設定または解除を行う前記ボタンの操作により、前記裏写り防止機能を設定する処理を行う裏写り防止機能オン処理部、及び前記裏写り防止機能の設定を解除する処理を行う裏写り防止機能オフ処理部を有する裏写り防止機能設定処理部を備えることを特徴とする請求項１に記載の画像形成装置。
【請求項３】
前記裏紙原稿設定部は、前記裏紙原稿ボタンが押下されているときに、前記コピーの対象となる原稿が両面であることを前提として設定される前記２種類のボタンを表示しないことを特徴とする請求項１に記載の画像形成装置。
【発明の詳細な説明】
【技術分野】
【０００１】
本発明は、原稿の表面と裏面の両方を印刷（以下、「両面印刷」という）する機能を備える画像形成装置に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、原稿をスキャナーで読み取り、画像データに変換してコピー用紙に印刷する。このような画像形成装置において、両面原稿の設定が行われると、原稿の表面が印刷され、続いて原稿の裏面が印刷される。しかし、省資源や経費節約を行うために、片面が使用済みのコピー用紙（以下、「裏紙」という）を用いて印刷された原稿（以下、「裏紙原稿」という）を印刷する場合に、誤って両面原稿の設定が行われる、または前の両面原稿の設定を変更せずにそのまま印刷するときがある。このようなときには、裏紙原稿の表面が印刷され、続いて裏紙原稿の不要な裏面が自動的に印刷される。（以下、裏紙を使って印刷された裏紙原稿の表面、裏面の区分は、新たに印刷された面を「表面」、先に印刷された不要な面を「裏面」ということにする。）つまり、裏紙原稿において、両面原稿の設定により裏面の不要な原稿が印刷されてしまうことがある。このため、裏紙原稿において、裏面の不要な原稿が印刷されないようにする対策が行われている。例えば、特許文献１の画像処理装置では、読み取られた原稿に所定の片面付加情報または両面付加情報が含まれているかどうかを判断し、片面付加情報が含まれている場合は原稿の片面の画像データを出力し、両面付加情報が含まれている場合は原稿の両面の画像データを出力する。このように裏紙原稿が読み取られた場合でも、片面付加情報が含まれている原稿の画像データのみが出力され，片面付加情報が含まれていない原稿の画像データは出力されないようにしている。
【先行技術文献】
【特許文献】
【０００３】
【特許文献１】特開２００５−５１４８４号公報
【発明の概要】
【発明が解決しようとする課題】
【０００４】
しかし、特許文献１の画像処理装置では、複写対象面が原稿の片面のみであることを示す片面付加情報、または複写対象面が原稿の両面であることを示す両面付加情報を予め原稿に印字しておかなければならない。つまり、裏紙原稿では、複写対象面が原稿の片面のみであることを示す片面付加情報を予め原稿に印刷しなければならないので、手間がかかるという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、原稿を読み取る原稿読取部と、画像形成装置が備えている機能を実行するためのボタン、及び操作を受け付けるための操作画面を操作パネルに表示する処理を行い、前記機能を実行するための前記ボタンの押下、及び前記操作画面からの設定を前記操作パネルから入力する処理を行う操作パネル処理部とを備えた画像形成装置において、前記操作パネルは、裏紙原稿ボタンを備え、前記原稿をコピーするときの操作画面であるコピー設定画面を表示し、前記操作パネル処理部は、裏紙原稿をコピーするときに前記裏紙原稿ボタンが押下されることにより、裏紙原稿であることを設定する裏紙原稿設定部と、裏写り防止機能の設定または解除を行うボタンを表示する処理を行う裏写り防止機能表示処理部と、を備え、前記裏紙原稿設定部は、前記裏紙原稿ボタンが押下されているときに、前記コピー設定画面において、前記コピーの対象となる原稿が片面であるか両面であるかの各々の場合について、印刷するときに用紙の片面に印刷するか両面に印刷するかを選択できるように設定される４種類のボタンのうち、前記コピーの対象となる原稿が両面であることを前提として設定される２種類のボタンを選択されないように表示し、前記裏写り防止機能表示処理部は、前記裏紙原稿ボタンが押下されているときに、前記コピー設定画面において、前記裏写り防止機能の設定または解除を行う前記ボタンを自動的に表示することを特徴としている。
また、前記操作パネル処理部は、さらに、前記裏写り防止機能の設定または解除を行う前記ボタンの操作により、前記裏写り防止機能を設定する処理を行う裏写り防止機能オン処理部、及び前記裏写り防止機能の設定を解除する処理を行う裏写り防止機能オフ処理部を有する裏写り防止機能設定処理部を備えてもよい。
また、前記裏紙原稿設定部は、前記裏紙原稿ボタンが押下されているときに、前記コピーの対象となる原稿が両面であることを前提として設定される前記２種類のボタンを表示しなくてもよい。
【発明の効果】
【０００７】
本発明は、裏紙原稿の裏面の不要な原稿が誤って印刷されるミスコピーを防止できる画像形成装置を提供する。
【図面の簡単な説明】
【０００８】
【図１】本発明の実施形態に係る画像形成装置の機能構成を示す図である。
【図２】本発明の実施形態に係る裏紙原稿のコピー操作を行う操作パネルにおけるボタンと画面の表示を示す図である。
【図３】本発明の実施形態に係る裏紙原稿コピー実行処理のフローチャートである。
【発明を実施するための形態】
【０００９】
以下、本発明を実施するための形態（以下、「実施形態」という）を、図面を参照して説明する。実施形態の画像形成装置は、裏紙原稿のコピーを行うときに、裏紙原稿ではミスコピーとなる操作をユーザーが設定できないようにし、また、裏に印刷された以前の原稿の文字や図形が読み取られて今回の原稿と重なってコピーされてしまう裏写りがないようにするものである。
【００１０】
実施形態における画像形成装置１００の機能構成について、図１を用いて説明する。図１に示す画像形成装置１００は、制御部１０１、記憶部１０２、データ保存部１０３、操作パネル１０４、操作パネル処理部１０５、原稿読取部（原稿読取手段）１０６、画像処理部１０７、印刷部１０８、及びネットワーク通信部１０９を備えている。これらの各部は、バスなどにより接続される構成となっている。また、制御部１０１には、裏紙原稿コピー実行処理部１０１ａを備えている。記憶部１０２には、裏紙原稿コピー情報記憶エリア１０２ａを備えている。データ保存部１０３には画像データ保存エリア１０３ａを備えている。操作パネル処理部１０５には、裏紙原稿設定処理部（裏紙原稿設定手段）１０５ａ、裏写り防止機能表示処理部（裏写り防止機能表示手段）１０５ｂ、及び裏写り防止機能設定処理部（裏写り防止機能設定手段）１０５ｃを備え、また、裏写り防止機能設定処理部（裏写り防止機能設定手段）１０５ｃには裏写り防止機能オン処理部（裏写り防止機能オン手段）１０５ｃ１と裏写り防止機能オフ処理部１０５ｃ２（裏写り防止機能オフ手段）を備えている。
【００１１】
制御部１０１は、ＲＡＭやＲＯＭ等の主記憶手段、及びＭＰＵ(Micro Processing Unit)やＣＰＵ(Central Processing Unit)等の制御手段を備えている。また、制御部１０１は、各種Ｉ／Ｏや、ＵＳＢ（ユニバーサル・シリアル・バス）等のインターフェイス、バスコントローラ等を含む総合的な画像形成装置１００のコントロールを行う。制御部１０１には、原稿読取部１０６により読み込んだ裏紙原稿のコピーを実行する裏紙原稿コピー実行処理部１０１ａが設けられている。裏紙原稿コピー実行処理部１０１ａの詳細については、後述する。
【００１２】
記憶部１０２は、フラッシュメモリー等からなる記憶装置で、制御部１０１が実行する処理のプログラムやデータを記憶する。記憶部１０２には、裏紙原稿コピー情報記憶エリア１０２ａが設けられている。
裏紙原稿コピー情報記憶エリア１０２ａは、操作パネル１０４に表示されるコピー設定画面５２０から設定される裏紙原稿コピー情報を記憶する。コピー設定画面５２０の詳細については、後述する。
【００１３】
データ保存部１０３は、データやプログラムを保存するハードディスクドライブである。データ保存部１０３には、画像データ保存エリア１０３ａが設けられている。
画像データ保存エリア１０３ａは、原稿読取部１０６により原稿が読み取られ、画像処理部１０７によって画像処理された原稿の画像データを保存することができる。また、画像データ保存エリア１０３ａは、ネットワーク通信部１０９を経由して送信する画像データまたは受信する画像データを保存することができる。
【００１４】
操作パネル１０４は、ユーザーによる操作や設定を受け付ける。操作パネル１０４は、画像形成装置１００が備えている機能を実行するためのボタン、ユーザーによる操作を受け付けるための操作画面、及びユーザーに通知するメッセージを表示し、また機能を実行するためのボタンの押下や操作画面からの設定を入力する。
【００１５】
操作パネル処理部１０５は、画像形成装置１００が備えている機能を実行するためのボタン、ユーザーによる操作を受け付けるための操作画面、及びユーザーに通知するメッセージを操作パネル１０４に表示する処理を行い、また機能を実行するためのボタンの押下や操作画面からの設定を操作パネル１０４から入力する処理を行う。
裏紙原稿設定処理部１０５ａは、コピー設定画面５２０からの操作により、裏紙原稿を設定する処理を行う。
裏写り防止機能表示処理部１０５ｂは、コピー設定画面５２０からの操作により、裏写り防止機能の設定または解除を行うボタンを表示する処理を行う。
裏写り防止機能設定処理部１０５ｃは、コピー設定画面５２０からの操作により、裏写り防止機能の設定または解除する処理を行い、裏写り防止機能オン処理部１０５ｃ１が裏写り防止機能を設定する処理を行い、裏写り防止機能オフ処理部１０５ｃ２が裏写り防止機能の設定を解除する処理を行う。
【００１６】
原稿読取部１０６は、画像形成装置１００の原稿載置台にセットされた原稿の読み取りを行うことで原稿をデジタル化するもので、ユーザーが操作パネル１０４からコピー開始の要求を行うと、原稿読取部１０６は原稿載置台の原稿を読み取り、読み取った原稿をデジタル化した原稿データを画像処理部１０７に出力する。
【００１７】
画像処理部１０７は、原稿読取部１０６から原稿データを入力すると原稿データの画質、解像度、サイズ、回転方向、及び色などの調整を行い、原稿データからビットマップグラフィクスに変換して画像化した原稿の画像データを作成し、印刷部１０８に出力する。また、画像処理部１０７は、制御部１０１の裏紙原稿コピー実行処理部１０１ａから裏写り防止通知を入力したときには、原稿データの色を調整するときに、裏面から刷り込まれた色であるかを周囲の色から解析し、裏面から刷り込まれた色であると判定された色を消去する。裏紙原稿コピー実行処理部１０１ａの処理詳細については、後述する。
【００１８】
印刷部１０８は、画像処理部１０７から画像データを入力すると、画像データをコピー用紙に印刷する。
【００１９】
ネットワーク通信部１０９は、ネットワーク２００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
次に、裏紙原稿のコピー操作を行うことができる操作パネル１０４におけるボタンと画面の表示について、図２を用いて説明する。図２（１）は、裏紙原稿が設定されていない状態の操作パネル１０４の表示である。図２（２）または図２（３）は、裏紙原稿が設定されている状態の操作パネル１０４の表示である。図２（２）は、裏紙原稿が設定されているときにミスコピーとなる設定を不可とする操作パネル１０４の表示であり、図２（３）は、裏紙原稿が設定されているときにミスコピーとなる設定を表示しない操作パネル１０４の表示であるので、どちらの構成の操作パネル１０４でもユーザーは同様の操作を行うことができる。
【００２１】
図２に示すように、操作パネル１０４には「裏紙原稿」ボタン５１０、コピー設定画面５２０、及び「スタート」ボタン１０４ａなどが設けられている。
【００２２】
「裏紙原稿」ボタン５１０は、裏紙原稿をコピーするときにユーザーにより押下されると、裏紙原稿設定処理部１０５ａにより裏紙原稿であることが設定される。
【００２３】
コピー設定画面５２０は、原稿をコピーするときにユーザーにより設定される画面であり、コピー選択、倍率、部数、及び裏写り防止が設定される。なお、「裏紙原稿」ボタン５１０が押下されているときに、コピー設定画面５２０から設定された情報は、記憶部１０２の裏紙原稿コピー情報記憶エリア１０２ａに記憶される。
コピー選択は、原稿が片面であるか両面であるか、また印刷するときにコピー用紙の片面に印刷するか両面に印刷するかを選択するときに設定される。このため、コピー選択には、「片面→片面」ボタン５２１ａ、「片面→両面」ボタン５２１ｂ、「両面→片面」ボタン５２１ｃ、及び「両面→両面」ボタン５２１ｄが設けられている。例えば、原稿は片面であるがコピー用紙の両面に印刷するときには、ユーザーは「片面→両面」ボタン５２１ｂを押下する。このようなコピー選択において、裏紙原稿では、「両面→片面」ボタン５２１ｃまたは「両面→両面」ボタン５２１ｄが押下されるとミスコピーとなる。このため、図２（２）では、「両面→片面」ボタン５２１ｃ及び「両面→両面」ボタン５２１ｄの操作を不可とし、図２（３）では、「両面→片面」ボタン５２１ｃ及び「両面→両面」ボタン５２１ｄを表示しないことでミスコピーを防止する。
「倍率」入力エリア５２２は、原稿をコピー用紙に印刷するときの倍率を入力する。例えば、原稿と同じサイズでコピー用紙に印刷するときには「１００」を入力し、原稿の２倍のサイズでコピー用紙に印刷するときには「２００」を入力する。
「部数」入力エリア５２３は、原稿をコピー用紙に印刷するときの部数を入力する。例えば、１枚の原稿をコピー用紙に１０枚印刷するときには、「１０」を入力する。
「裏写り防止  ＯＮ」ボタン５２４ａは、図２（２）と図２（３）に示すように「裏紙原稿」ボタン５１０が押下されると、裏写り防止機能表示処理部１０５ｂにより自動的に表示される。ユーザーが「裏写り防止  ＯＮ」ボタン５２４ａを押下すると、裏写り防止機能表示処理部１０５ｂが「裏写り防止  ＯＮ」ボタン５２４ａから「裏写り防止  ＯＦＦ」ボタン５２４ｂ（図示せず）に切り替えて表示し、裏写り防止機能設定処理部１０５ｃの裏写り防止機能オフ処理部１０５ｃ２により裏写り防止機能の設定を解除する。また、「裏写り防止  ＯＦＦ」ボタン５２４ｂを押下すると、裏写り防止機能表示処理部１０５ｂが「裏写り防止  ＯＦＦ」ボタン５２４ｂから「裏写り防止  ＯＮ」ボタン５２４ａに切り替えて表示し、裏写り防止機能設定処理部１０５ｃの裏写り防止機能オン処理部１０５ｃ１により裏写り防止機能の設定を行う。「裏写り防止  ＯＮ」ボタン５２４ａが表示されているときに、画像処理部１０７により原稿データの裏面から刷り込まれた色が消去される。しかし、裏面から刷り込まれた色を消去する処理を実行すると時間がかかるため、速くコピーしたいときには、ユーザーは「裏写り防止  ＯＦＦ」５２４ｂに切り替えることができる。
【００２４】
「スタート」ボタン１０４ａは、原稿載置台にセットされた原稿をコピー用紙に印刷するときにユーザーにより押下される。
【００２５】
次に、裏紙原稿コピー実行処理部１０１ａが実行する裏紙原稿コピー実行処理について、図３を用いて説明する。
【００２６】
ユーザーが原稿載置台に裏紙原稿をセットし、操作パネル１０４の「裏紙原稿」ボタン５１０を押下してコピー設定画面５２０のコピー選択、倍率、部数、及び裏写り防止を設定して、「スタート」ボタン１０４ａを押下すると、制御部１０１が裏紙原稿コピー実行処理部１０１ａを起動する。裏紙原稿コピー実行処理部１０１ａが起動されると、裏紙原稿コピー実行処理部１０１ａは裏紙原稿コピー実行処理を開始する。以下、図３に示す裏紙原稿コピー実行処理のステップ順に説明する。
【００２７】
（ステップＳ１０１）
まず、裏紙原稿コピー実行処理部１０１ａは、記憶部１０２の裏紙原稿コピー情報記憶エリア１０２ａから裏紙原稿コピー情報を取り出す。
【００２８】
（ステップＳ１０２）
次いで、裏紙原稿コピー実行処理部１０１ａは、裏紙原稿コピー情報の裏写り防止がＯＮであるかを判定する。裏紙原稿コピー情報の裏写り防止がＯＮであるとき（ステップＳ１０２のＹｅｓ）は、ステップＳ１０３に進む。裏紙原稿コピー情報の裏写り防止がＯＮでなくＯＦＦであるとき（ステップＳ１０２のＮｏ）は、ステップＳ１０４に進む。
【００２９】
（ステップＳ１０３）
ステップＳ１０２のＹｅｓにおいて、裏紙原稿コピー実行処理部１０１ａは、裏写り防止通知を画像処理部１０７に出力する。
【００３０】
（ステップＳ１０４）
ステップＳ１０３に次いで、またはステップＳ１０２のＮｏにおいて、裏紙原稿コピー実行処理部１０１ａは、原稿が片面であることを指示する原稿片面通知を、原稿読取部１０６に出力する。つまり、「裏紙原稿」ボタン５１０が設定されることで裏紙原稿の両面コピーの設定ができないので、片面→片面又は片面→両面のみの原稿片面通知を原稿読取部１０６に出力できる。
【００３１】
（ステップＳ１０５）
次いで、裏紙原稿コピー実行処理部１０１ａは、裏紙原稿コピー情報のコピー選択で設定されたコピー用紙の片面に印刷または両面に印刷を指示するコピー用紙片面印刷通知又はコピー用紙両面印刷通知を印刷部１０８に出力する。
【００３２】
（ステップＳ１０６）
次いで、裏紙原稿コピー実行処理部１０１ａは、裏紙原稿コピー情報の倍率と部数を指示する倍率部数通知を印刷部１０８に出力する。
【００３３】
（ステップＳ１０７）
次いで、裏紙原稿コピー実行処理部１０１ａは、原稿載置台にセットされている裏紙原稿を読み取る指示である裏紙原稿読取通知を原稿読取部１０６に出力し、裏紙原稿コピー実行処理を終了する。以降、原稿読取部１０６が裏紙原稿を読み取り、原稿読取部１０６から原稿データが画像処理部１０７に出力され、画像処理部１０７から画像データが印刷部１０９に出力されると、裏紙原稿がコピー用紙に印刷される。
【００３４】
以上のように、コピー設定画面５２０に「裏紙原稿」ボタン５１０を設け、ユーザーが裏紙原稿をコピーするときに「裏紙原稿」ボタン５１０を押下する。この「裏紙原稿」ボタン５１０が押下されることで、「両面→片面」ボタン５２１ｃ及び「両面→両面」ボタン５２１ｄの設定を不可、または「両面→片面」ボタン５２１ｃ及び「両面→両面」ボタン５２１ｄを表示しないようにすることができるので、裏紙原稿におけるミスコピーを防止できる。これにより、裏紙原稿をコピーするときに、複写対象面を示す片面付加情報などを予め原稿に印刷することなくミスコピーを防止できる。
また、裏写りを防止する機能は、ユーザーにとってどのようなときに設定するのかわかり難いため、あまり使用されていない。このため、コピー設定画面５２０の「裏紙原稿」ボタン５１０を押下すると、自動的に「裏写り防止  ＯＮ」５２４ａを表示し、また裏写り防止の設定を自動的にＯＮとすることで、ユーザーは容易に裏写りを防止する機能を使用することができる。
【００３５】
なお、実施形態においては、「裏紙原稿」ボタン５１０が押下されると自動的に、「裏写り防止  ＯＮ」ボタン５２４ａを表示し、また裏写り防止の設定がＯＮとなるようにしたが、これに限定されない。例えば、「裏紙原稿」ボタン５１０が押下されると自動的に「裏写り防止」ボタンを表示し、「ＯＮ」または「ＯＦＦ」のどちらかをユーザーが設定することも可能である。
【００３６】
このような本発明の画像形成装置は、裏紙原稿の以前の不要な原稿が誤って印刷されるミスコピーを防止できる。
【００３７】
以上、具体的な実施の形態により本発明を説明したが、上記実施の形態は本発明の例示であり、この実施の形態に限定されないことは言うまでもない。
【産業上の利用可能性】
【００３８】
本発明は、画像形成装置に好適であるが、画像形成装置に限られるものではなく、裏紙原稿を処理する機能を有する装置一般に適用できる。
【符号の説明】
【００３９】
１００・・・・・画像形成装置
１０１・・・・・制御部
１０１ａ・・・・裏紙原稿コピー実行処理部
１０２・・・・・記憶部
１０２ａ・・・・裏紙原稿コピー情報記憶エリア
１０３・・・・・データ保存部
１０３ａ・・・・画像データ保存エリア
１０４・・・・・操作パネル
１０４ａ・・・・「スタート」ボタン
１０５・・・・・操作パネル処理部
１０５ａ・・・・裏紙原稿設定処理部
１０５ｂ・・・・裏写り防止機能表示処理部
１０５ｃ・・・・裏写り防止機能設定処理部
１０５ｃ１・・・裏写り防止機能オン処理部
１０５ｃ２・・・裏写り防止機能オフ処理部
１０６・・・・・原稿読取部
１０７・・・・・画像処理部
１０８・・・・・印刷部
１０９・・・・・ネットワーク通信部
２００・・・・・ネットワーク
５１０・・・・・「裏紙原稿」ボタン
５２０・・・・・コピー設定画面
５２１ａ・・・・「片面→片面」ボタン
５２１ｂ・・・・「片面→両面」ボタン
５２１ｃ・・・・「両面→片面」ボタン
５２１ｄ・・・・「両面→両面」ボタン
５２２・・・・・「倍率」入力エリア
５２３・・・・・「部数」入力エリア
５２４ａ・・・・「裏写り防止  ＯＮ」ボタン
５２４ｂ・・・・「裏写り防止  ＯＦＦ」ボタン
【図１】
0006260498.tif 000002
【図２】
0006260498.tif 000003
【図３】
0006260498.tif 000004